(57)【要約】【課題】可動側壁が底板に対して起立している際に不用意に外側へと倒れてしまうという不具合を解消し、かつ起倒が容易であり、起倒を繰り返しても劣化せずに、確実に可動側壁の起立状態を保持する包装用箱の提供である。【解決手段】底板２１と、底板２１に対して起倒自在である可動側壁（前側板２２）と、底板２１に対して立設され、前側板２２の両端を支持する支持側壁（左右外側板２４と左右内側板２５）と、を備える包装用箱であって、前側板２２は、両端縁に挿入片５４・５４が折り曲げ自在に連設され、支持側壁（左右外側板２４と左右内側板２５）は、挿入片５４が挿入される筒状の挿入部２０を有し、挿入部２０の前側板２２側の端縁に連設される保持片が挿入部２０の内側へ折り込まれる。【選択図】図１
0003175267.tif 000002
【実用新案登録請求の範囲】
【請求項１】
底板と、当該底板に対して起倒自在である可動側壁と、前記底板に対して立設され、前記可動側壁の両端を支持する支持側壁と、を備える包装用箱であって、
前記可動側壁は、両端縁に挿入片が折り曲げ自在に連設され、
前記支持側壁は、前記挿入片が挿入される筒状の挿入部を有し、当該挿入部の前記可動側壁側の端縁に連設される保持片が前記挿入部の内側へ折り込まれることを特徴とする包装用箱。
【請求項２】
前記支持側壁は、
前記底板の相対する端縁に連設される外側板と、
前記外側板の前記底板と対向する端縁に連設される内側板と、で構成され、
前記挿入部は、
前記外側板と前記内側板とで構成され、前記底板に対して前記外側板を起立させ、前記外側板の内側に前記内側板が折畳まれることにより筒状に形成され、
前記保持片は、
前記内側板と前記外側板の少なくとも一方に折り曲げ自在に連設されることを特徴とする請求項１に記載の包装用箱。
【請求項３】
前記内側板と前記外側板との間には、縁板が設けられることを特徴とする請求項２に記載の包装用箱。
【請求項４】
前記可動側壁には、当該可動側壁の起倒操作を行うための指掛部が設けられたことを特徴とする請求項１から請求項３のいずれか一項に記載の包装用箱。
【考案の詳細な説明】
【技術分野】
【０００１】
本考案は、側板を外側に倒すことのできる包装用箱に関するものである。
【背景技術】
【０００２】
従前より、底板とその底板に対して起立する複数の側板で形成された包装用箱が知られている。このうち、側板の一部が外側へ倒すことのできる可動側板である包装用箱も知られている。この可動側板を倒すことにより、物品の収容及び取り出しが容易になる。
【０００３】
このような技術においては、可動側壁が不用意に外側に倒れてしまうという不都合がある。そこで、特許文献１及び特許文献２に記載されている包装用箱では、可動側壁の左右の端縁にフラップを設け、その可動側壁に隣接する一対の両側板には、それらフラップを挿入可能とする挿入部を設けている。さらに、底板に対して側板が安定した状態で起立するために、係止舌片、係止片が形成されている。
【０００４】
しかしながら、このような包装用箱は、可動側壁の起倒を繰り返すと係止舌片、係止片が劣化して、外観を損なったり、底板に対する起立状態が不安定になったりしていた。
【先行技術文献】
【特許文献】
【０００５】
【特許文献１】実公平２−２１３６７号公報
【特許文献１】特開２００７−１４５３８９号公報
【考案の概要】
【考案が解決しようとする課題】
【０００６】
本考案は、上記課題を解決すべくなされたものである。本考案の目的は、可動側壁が底板に対して起立している際に不用意に外側へと倒れてしまうという不具合を解消し、かつ起倒が容易であり、起倒を繰り返しても劣化せずに、確実に可動側壁の起立状態を保持する包装用箱の提供である。
【課題を解決するための手段】
【０００７】
本考案の解決しようとする課題は以上の如くであり、次にこの課題を解決するための手段を説明する。
【０００８】
即ち、請求項１においては、底板と、当該底板に対して起倒自在である可動側壁と、前記底板に対して立設され、前記可動側壁の両端を支持する支持側壁と、を備える包装用箱であって、前記可動側壁は、両端縁に挿入片が折り曲げ自在に連設され、前記支持側壁は、前記挿入片が挿入される筒状の挿入部を有し、当該挿入部の前記可動側壁側の端縁に連設される保持片が前記挿入部の内側へ折り込まれるものである。
【０００９】
請求項２においては、前記支持側壁は、前記底板の相対する端縁に連設される外側板と、前記外側板の前記底板と対向する端縁に連設される内側板と、で構成され、前記挿入部は、前記外側板と前記内側板とで構成され、前記底板に対して前記外側板を起立させ、前記外側板の内側に前記内側板が折畳まれることにより筒状に形成され、前記保持片は、前記内側板と前記外側板の少なくとも一方に折り曲げ自在に連設されるものである。
【００１０】
請求項３においては、前記内側板と前記外側板との間には、縁板が設けられるものである。
【００１１】
請求項４においては、前記可動側壁には、当該可動側壁の起倒操作を行うための指掛部が設けられたものである。
【考案の効果】
【００１２】
本考案の効果として、以下に示すような効果を奏する。
【００１３】
請求項１においては、挿入部の可動側壁側の端縁に連設される保持片が挿入部の内側に折り込まれることで、折り曲げられる前の状態へと戻ろうとする保持片の弾性力により、挿入片が支持側壁と保持片または保持片同士によって挟持され可動側壁が安定した状態で保持される。そのため、可動側壁の底板に対する起立状態を確実に保持する一方で、可動側壁を外側へ倒す際の挿入部からの挿入片の抜き出しが容易となる。また、底板に対する可動側壁の起倒を繰り返しても、挿入部の内側に保持片が配置されているため、挿入部が劣化しにくく耐久性に優れ、包装用箱の外観体裁が良好である。
【００１４】
請求項２においては、請求項１の効果に加えて、支持側壁に別途の挿入部を形成することなく、支持側壁を利用して挿入部が形成できるとともに、外側板が内側板の内側に配置されているため、包装用箱の外観体裁が良好である。
【００１５】
請求項３においては、請求項１及び請求項２の効果に加え、外側板と内側板の間に縁板を設けた分だけ、外側板と内側板との隙間ができ、挿入部に対する挿入片の抜き差しが容易となる。また、内側板と外側板との隙間を大きくしても、保持片の弾性力により保持片が挿入片側へと移動して、挿入片を保持するため、可動側壁の起立状態を確実に保持することができる。
【００１６】
請求項４においては、可動側壁に可動側壁の起倒操作を行うための指掛部が設けられているので、可動側壁が起倒できることの目印となるとともに、可動側壁の底板に対する角度の調整を容易に行うことができる。
【図面の簡単な説明】
【００１７】
【図１】第一実施形態の包装用箱１の挿入片５４・５４が挿入部２０に途中まで挿入された状態を示す斜視簡略図。
【図２】包装用箱１が組み立てられた状態の斜視簡略図。
【図３】展開形成体の包装用箱１を示す平面図。
【図４】左右外側板２４が底板２１に対して起立した状態を示す斜視簡略図。
【図５】左右内側板２５が底板２１に対して起立され、後袖フラップ５１・５１が連結された状態を示す斜視簡略図。
【図６】蓋部３が組み立てられ、挿入部２０へと挿入片５４が挿入されて前側板２２が底板２１に対して起立された状態を示す斜視簡略図。
【図７】底板２１に対して倒された前側板２２に、物品９１が載置された状態を示す斜視簡略図。
【図８】挿入部２０周辺の状態を示す図。
【図９】第二実施形態の包装用箱１１が組み立てられた状態の斜視簡略図。
【図１０】展開形成体の包装用箱１１を示す平面図。
【図１１】蓋部１３が形成され保持片１５２・１５３が折り曲げられた状態を示す斜視簡略図。
【図１２】左右内側板が左右外側板に平行に折り曲げられた状態を示す斜視簡略図。
【図１３】左右内側板１２５が底板２１に対して起立され、後袖フラップ１５１・１５１が連結された状態を示す斜視簡略図。
【図１４】前側壁が組み立てられ、底板２１と内底板２７とが重ね合わされた状態を示す斜視簡略図。
【図１５】三つの側壁が底板２１に起立された状態を示す斜視簡略図。
【考案を実施するための形態】
【００１８】
まず、図１から図７を用いて、本考案の一実施形態である第一実施形態に係る包装用箱１の構成について説明する。
【００１９】
第一実施形態の包装用箱１は、身箱部２と蓋部３とで構成された一枚のブランクからなる。このブランクの包装用箱１を組み立てることで、図１及び図２に示す完成した包装用箱１となる。
【００２０】
図１は第一実施形態の包装用箱１の挿入片５４・５４が挿入部２０に途中まで挿入された状態を示す斜視簡略図、図２は包装用箱１が組み立てられた状態の斜視簡略図、図３は展開形成体の包装用箱１を示す平面図、図４は左右外側板２４が底板２１に対して起立した状態を示す斜視簡略図、図５は左右内側板２５が底板２１に対して起立され、後袖フラップ５１・５１が連結された状態を示す斜視簡略図、図６は蓋部３が組み立てられ、挿入部２０へと挿入片５４が挿入されて前側板２２が底板２１に対して起立された状態を示す斜視簡略図、図７は底板２１に対して倒された前側板２２に、物品９１が載置された状態を示す斜視簡略図、図８Ａは、図６の矢印９方向から見た挿入部２０周辺の状態を示す図、図８Ｂは、図８Ａの９２−９２線断面図である。
【００２１】
包装用箱１は、板紙、段ボールなどの厚紙で形成されて、ケーキ等の物品９１を収納する。包装用箱１は、厚紙の他、樹脂素材を用いた板状部材等で形成されてもよい。第一実施形態に係る包装用箱１は、身箱部２に蓋部３が起倒自在に連結されたフタ身式の包装用箱である。
【００２２】
以下では、説明を容易とするため、図中に示す方向を基に説明を行うこととする。尚、包装用箱１の平面形状は正方形であるが、長方形や六角形等の他の形状に変更してもよい。
【００２３】
図３に示す展開形成体に従って、包装用箱１を構成する部分を説明する。図３は、包装用箱１の内側となる面を紙面の手前側として示している。
【００２４】
包装用箱１の物品を収容する部分である身箱部２は、底板２１と、底板２１に対して起立する四つの側壁とからなり、完成時には上部が開放されたパーツとなる（図１参照）。
【００２５】
底板２１は、包装用箱１の底となる部分である。底板２１には、折目線４０を介して前端縁に可動側壁となる前側板２２、折目線を介して後端縁に後側の側壁となる後側板２３が連設される。底板２１の左右には、折目線４１・４１を介して左右端縁に支持側壁の一部となる左右外側板２４・２４が連設される。折目線４１は、途中で二箇所分断されており、分断された箇所には、係止切込部４１ａ・４１ａが底板２１側に突出する切り目によって形成される。
【００２６】
左右外側板２４・２４には、折目線を介して底板２１と対向する端縁に、支持側壁の一部となる左右内側板２５・２５が連設される。左右内側板２５の下端となる端縁には、前述の係止切込部４１ａ・４１ａに対応する位置に、外側へと突出した第一係合片２５ａ・２５ａが形成される。左右内側板２５の後端縁には、折目線を介して、後袖フラップ５１が連設されている。後袖フラップ５１・５１の開放端部には、後係止切込５１ａ・５１ｂが形成される。左右内側板２５・２５の前端縁には、折目線４２を介して第一保持片５２・５２が連設される。左右外側板２４・２４の前端縁には、折目線４３を介して第二保持片５３・５３が連設される。前側板２２の左右端縁には、折目線４４・４４を介して挿入片５４・５４が連設される。さらに、前側板２２は、底板２１に対向する端縁に折目線を介して、指掛部２２ｂが形成されている。
【００２７】
後側板２３の左右端縁と左右外側板２４・２４の後端縁との間には、折目線を介して後折込板５５・５５が連設される。後折込板５５には、後折込板５５を略二等分する後折畳線５５ａが底板２１の後側の角から後折込板５５の開放端にかけて形成される。後側板２３は、底板２１と対向する端縁に折目線４５を介して蓋部３の一部である外天板３１が連設される。
【００２８】
蓋部３は、主として外天板３１と、外天板３１に対して起立する三つの側壁とからなり、完成時には、下部が開放されたパーツとなる。
【００２９】
外天板３１は、包装用箱１の上部となる部分である。外天板３１には、折目線を介して、前側となる端縁に前側板３２が連設される。さらに外天板３１には、折目線を介して左右端縁に左右外側板３３・３３が連設される。この左右外側板３３の高さ方向（図３において左右方向）の長さは、後方（図３において下方向）へと向かうにつれて低くなるように形成される。左右外側板３３には、外天板３１と対向する端縁に折目線を介して左右内側板３４が連設される。そして、左右内側板３４の高さ方向（図３において左右方向）の長さは、後方（図３において下方向）へと向かうにつれて低くなるように形成される。
【００３０】
左右内側板３４・３４には、左右外側板３３・３３と対向する端縁に折目線６１・６１を介して、左右係止板７１・７１が連設される。折目線６１は途中で分断され、分断された箇所には、係止切込部６１ａが左右内側板３４側に突出する切り目によって形成される。さらに、折目線６１の前端（図３において上端）は、切り目によって形成される係止切込部６１ｂとされ、左右内側板３４と左右係止板７１とは前側の上部となる箇所が連結されていない。
【００３１】
左右内側板３４・３４の前側となる端縁には、折目線を介して、前フラップ７２・７２が連設されている。また、前側板３２の左右端縁と左右外側板３３・３３の前側となる端縁との間には、折目線を介して前折込板７３・７３が連設される。前折込板７３には、前折込板７３を略二等分する前折畳線７３ａが外天板３１の前側となる角から前折込板７３の開放端にかけて形成される。
【００３２】
前側板３２は、外天板３１に対向する端縁に折目線を介して前内側板３５が連設される。さらに、前内側板３５は、前側板３２に対向する端縁に折目線を介して、内天板３６が連設される。内天板３６の左右端縁には、前述の係止切込部６１ａ・６１ａに対応する位置に、外側へと突出した第二係合片３６ａ・３６ａが形成される。さらに、内天板３６の左右端縁には、前述の係止切込部６１ｂ・６１ｂに対応する位置に、外側へと突出した第三係合片３６ｂ・３６ｂが形成される。
【００３３】
以下に、展開形成体の包装用箱１を完成状態へと組み立てる工程を説明する。
【００３４】
先ず、図１から図８に従って、身箱部２を組み立てる工程について説明する。
【００３５】
身箱部２は、図３に示す展開形成体の状態から、図４に示すように、折目線を谷折りすることで、四つの側壁の一部を構成する後側板２３と、左右外側板２４・２４とが底板２１に対して立設される。このとき、後折込板５５・５５は、後折畳線５５ａ・５５ａで二つ折りにされながら、折目線を谷折りすることで、後側板２３の内側に接触するように折畳まれる。
【００３６】
次に、左右外側板２４・２４から延設された同一平面の第二保持片５３・５３が、折目線４３・４３を谷折りすることで、左右外側板２４・２４の内側に折畳まれる。さらに、左右内側板２５・２５から延設された同一平面の第一保持片５２・５２が、折目線４２・４２を谷折りすることで、左右内側板２５・２５の内側に折畳まれる。ここで、左右内側板２５・２５から延設された同一平面の後袖フラップ５１・５１は、折目線を山折りすることで、左右内側板２５・２５の内側となる面に対して略直角に折り曲げられる。
【００３７】
そして、図４に示す状態から図５に示すように、左右外側板２４・２４と同一平面の左右内側板２５・２５は、折目線を谷折りすることで、左右外側板２４・２４の内側に重なるように折畳まれる。すると、左右内側板２５・２５に連設された後袖フラップ５１・５１が後側板２３と後折込板５５・５５の内側に配置される。そして、左右の後袖フラップ５１・５１は、それぞれの自由端部に形成された後係止切込５１ａ・５１ｂを互いに差し込むことで連結される。さらに、左右内側板２５から延設された第一係合片２５ａ・２５ａが、係止切込部４１ａ・４１ａによる底板２１の開口へと挿入され、左右内側板２５と左右外側板２４が重なり合った状態が保持される。このとき、左右内側板２５と左右外側板２４とによって、挿入片５４が挿入可能とされる袋状の挿入部２０が形成される。
【００３８】
図５に示す状態から図６に示すように、前側板２２は底板２１に対して起立される。具体的には、挿入片５４・５４は、前側板２２の内側に対して略直角に折り曲げられる。そして、前側板２２は、折目線４０を谷折りすることで、底板２１に対して略直角に起立されるとともに、前側板２２に連設された挿入片５４・５４は挿入部２０・２０に挿入される。この操作は、指掛部２２ｂを摘みながら、折目線４０を回動軸として前側板２２を身箱部２の中央側へと起こすことでおこなわれる。
【００３９】
尚、前側板２２を動かすための指掛部２２ｂは、第一実施形態において前側板２２の外側へと突出した突起とされているが限定するものではなく、この突起状の指掛部２２ｂに代えて、前側板２２の自由端部に切り欠きを形成したり、前側板２２に孔を形成したりすることで、指が接触しやすい指掛部を形成してもよい。また、指掛部２２ｂを形成することで、可動側壁である前側板２２が起倒できることの目印となるとともに、前側板２２の底板２１に対する角度の調整を容易におこなうことができる。
【００４０】
次に、蓋部３を組み立てる。具体的には、図５に示す状態から図６に示すように、外天板３１に隣接する折目線を谷折りすることで、三つの側壁を構成する前側板３２と、左右外側板３３・３３が外天板３１に対して立設される。このとき、前折込板７３・７３は、前折畳線７３ａ・７３ａで二つ折りにされながら、折目線を谷折りすることで、前側板３２の内側に折畳まれる。さらに、左右外側板３３・３３から延設された同一平面の左右内側板３４・３４が、折目線を谷折りすることで左右外側板３３・３３の内側に折畳まれる。さらに、左右内側板３４・３４から延設された同一平面の左右係止板７１・７１は、折目線６１を谷折りすることで、左右内側板３４・３４に対して略直角に、外天板３１に重なるように折り曲げられる。そして、左右内側板３４・３４から延設された同一平面の前フラップ７２・７２は、折目線を谷折りすることで、左右内側板３４・３４に対して略直角に、前側板３２及び前折込板７３・７３の内側に重なるように折り曲げられる。
【００４１】
そして、前側板３２から延設された前内側板３５は、折目線を谷折りすることで、前側板３２と前フラップ７２に重なるように折畳まれる。内天板３６は、折目線を山折することで、前内側板３５に対して略直角に、かつ、外天板３１と左右係止板７１・７１に重なるように折り曲げられる。そして、内天板３６から突出した第二係合片３６ａ・３６ａ及び第三係合片３６ｂ・３６ｂ係止切込部６１ａ・６１ａによる開口及び係止切込部６１ｂ・６１ｂへと挿入される。そして、包装用箱１は、図６に示す状態に組み立てられる。さらに、図６に示す状態から図２に示すように、折目線４５を谷折りすることで、蓋部３の左右内側板３４と前内側板３５の内面が、身箱部２の左右外側板２４と前側板２２の外面に接触するようになる。つまり、蓋部３は、身箱部２の上部及び外側面を覆うように被せられ、身箱部２の上部の開放が、蓋部３によって閉塞される。
【００４２】
このような構成の包装用箱１は、図７に示すように、身箱部２の上部が開放されさらに、前側板２２が折目線４０を回動軸として外側へと回動させることで、前側を開き、前側板２２を底板２１と同一平面とすることができる。そして、物品９１を前側板２２から底板２１へと滑らせるように、身箱部２の収容位置へと載置することができる。物品９１が収容された状態で、図１に示すように、挿入片５４・５４が連設された前側板２２が折目線４０を回動軸として身箱部２の内側へと回動されることで挿入部２０・２０に挿入片５４・５４が挿入され、可動側壁である前側板２２が底板２１に対して安定したかたちで起立し、前側を閉じることができる（図６参照）。
【００４３】
次に、第一実施形態の包装用箱１にかかる、挿入部２０及びその周辺の様態について説明する。
【００４４】
図８Ａに示す挿入片５４が挿入部２０へ挿入された状態では、図８Ｂに示すように、左右内側板２５と左右外側板２４が重なり合うように折畳まれたので、挿入部２０の隙間において保持片５２・５３は重なり合あった状態で配置される。
【００４５】
つまり、挿入部２０の前側板２２側の端縁、つまり、左右内側板２５と左右外側板２４の前側板２２側の端縁は、折目線４２を介して第一保持片５２が連設され、折目線４３を介して第二保持片５３が連設される。さらに、第一保持片５２と第二保持片５３は、折目線４２・４３を折り曲げることで、挿入部２０の内側へと折り曲げられる。
【００４６】
左右内側板２５から延設された第一保持片５２は、折目線４２で谷折りされて左右内側板２５に対して折り曲げられた状態から、紙の弾性力によって、左右内側板２５に対して曲げ戻されて展開する方向に移動する。さらに、左右外側板２４から延長された第二保持片５３も、折目線４３で谷折りされて左右外側板２４に対して折り曲げられた状態から、紙の弾性力によって、左右外側板２４に対して曲げ戻されて展開する方向に移動する。
したがって、可動側壁である前側板２２の回動を繰り返しても、第一保持片５２と第二保持片５３は、それぞれ折目線４２・４３を回動軸として、連設される側面と対向する側面側へと回動しようとする弾性力が働いているため、挿入片５４を保持することができる。さらに、第一保持片５２と第二保持片５３は挿入片５４に面で接触して保持しているため、無理なく抜き差しができる。
【００４７】
尚、第一実施形態において、一つの挿入部２０に対して二つの保持片（第一保持片５２、第二保持片５３）を設けているが、どちらか一方を設けたものであってもよい。
【００４８】
第一実施形態の包装用箱１は、底板２１と、当該底板２１に対して起倒自在である可動側壁（前側板２２）と、前記底板２１に対して立設され、前記前側板２２の両端を支持する支持側壁（左右外側板２４と左右内側板２５）と、を備える包装用箱であって、前記前側板２２は、両端縁に挿入片５４・５４が折り曲げ自在に連設され、前記支持側壁（左右外側板２４と左右内側板２５）は、前記挿入片５４が挿入される筒状の挿入部２０を有し、当該挿入部２０の前記前側板２２側の端縁に連設される保持片５３・５２が前記挿入部２０の内側へ折り込まれるものである。
【００４９】
このように構成することで、挿入部２０の可動側壁（前側板２２）側の端縁に連設される保持片５３・５２が挿入部２０の内側に折り込まれることで、折り曲げられる前の状態へと戻ろうとする保持片５３・５２の弾性力により、挿入片５４が左右外側板２４と第一保持片５２、左右内側板２５と第二保持片５３、または保持片５２・５３同士によって挟持され、前側板２２が安定した状態で保持される。そのため、前側板２２の底板２１に対する起立状態を確実に保持する一方で、前側板２２を外側へ倒す際の挿入部２０からの挿入片５４の抜き出しが容易となる。また、底板２１に対する前側板２２の起倒を繰り返しても、挿入部２０の内側に保持片５２・５３が配置されているため、挿入部２０が劣化しにくく耐久性に優れ、包装用箱１の外観体裁が良好である。
【００５０】
包装用箱１において、前記支持側壁は、前記底板２１の相対する端縁に連設される外側板である左右外側板２４と、前記左右外側板２４の前記底板２１と対向する端縁に連設される内側板であると左右内側板２５とで構成され、前記挿入部２０は、前記左右外側板２４と前記左右内側板２５とで構成され、前記底板２１に対して前記左右外側板２４を起立させ、前記左右外側板２４の内側に前記左右内側板２５が折畳まれることにより筒状に形成され、前記保持片５３・５２は、前記左右内側板２５と前記左右外側板２４の少なくとも一方に折り曲げ自在に連設されるものである。
【００５１】
このように構成することで、支持側壁（左右外側板２４と左右内側板２５）に別途の挿入部を形成することなく、支持側壁（左右外側板２４と左右内側板２５）を利用して挿入部２０が形成できるとともに、左右外側板２４が左右内側板２５の内側に配置されているため、包装用箱１の外観体裁が良好である。
【００５２】
包装用箱１において、前記可動側壁である前側板２２には、当該前側板２２の起倒操作を行うための指掛部２２ｂが設けられたものである。
【００５３】
このように構成することで、可動側壁である前側板２２が起倒できることの目印となるとともに、前側板２２の底板２１に対する角度の調整を容易に行うことができる。
【００５４】
次に、本考案の実施形態に係る第二実施形態について、図９から図１５を用いて説明する。
【００５５】
図９は、第二実施形態の包装用箱１１が組み立てられた状態の斜視簡略図、図１０は、展開形成体の包装用箱１１を示す平面図、図１１は、蓋部１３が組み立てられ保持片１５２・１５３が折り曲げられた状態を示す斜視簡略図、図１２は、左右内側板が左右外側板に平行に折り曲げられた状態を示す斜視簡略図、図１３は、左右内側板１２５が底板２１に対して起立され、後袖フラップ１５１・１５１が連結させた状態を示す斜視簡略図、図１４は、前側壁が形成され、底板２１と内底板２７とが重ね合わされた状態を示す斜視簡略図。図１５は、三つの側壁が底板２１に起立された状態を示す斜視簡略図である。
【００５６】
第二実施形態の包装用箱１１は、身箱部１２と蓋部１３とによって構成され、一枚のブランクからなる。このブランクの包装用箱１１を組み立てることで、図９に示す完成した包装用箱１１となる。
【００５７】
まずは、図１０に示す展開形成体に従って、第二実施形態の包装用箱１１を構成する部分を説明する。図１０は、包装用箱１１の内側となる面を紙面の手前側として示している。
【００５８】
包装用箱１１は、板紙、段ボールなどの厚紙で形成されて、物品９１等の物品を収納する。包装用箱１１は、厚紙の他、樹脂素材を用いた板状部材等で形成されてもよい。第二実施形態に係る包装用箱１１も、身箱部１２に蓋部１３が起倒自在に連結されたフタ身式の包装用箱である。
【００５９】
底板２１は、包装用箱１１の底の最下となる部分である。底板２１には、折目線４０を介して、前端縁に可動側壁の一部となる前外側板１２２が連設され、後側の折目線を介して後端縁に後側板２３が連設される。底板２１には、折目線を介して左右端縁に左右外側板２４・２４が連設される。
【００６０】
前外側板１２２には、底板２１と対向する端縁にそれぞれ折目線１４６を介して、前縁板８１が連設される。折目線１４６は、途中で分断されており、分断された箇所には、係止切込部１２２ａが切り目によって形成される。この係止切込部１２２ａから前外側板１２２側に突出する開孔によって、指掛部１２２ｂが形成される。前縁板８１には、前外側板１２２と対向する端縁に折目線を介して前内側板２６が連設される。さらに、前内側板２６には、折目線１４７を介して、内底板２７が連設される。折目線１４７は、途中の二箇所で分断されており、それら分断された箇所には、係止片２７ａ・２７ａが切り目よって形成される。内底板２７の左右端縁には、外側へと突出する係止片２７ｂ・２７ｂが形成される。
【００６１】
左右外側板２４と左右内側板１２５とは、左右縁板８２を介して連設され、左右内側板１２５は、左右外側板２４よりも前方の長さが若干長くなるように形成される。詳しくは、左右外側板２４には、底板２１と対向する端縁に折目線を介して、左右縁板８２が連設される。左右縁板８２は、左右外側板２４と対向する端縁に折目線を介して、左右内側板１２５が連設される。左右内側板１２５・１２５には、左右縁板８２・８２と対向する端縁に折目線１４８・１４８を介して、左右係止板１５６・１５６が連設される。折目線１４８は、途中で分断されており、その分断された箇所には、係止切込部１４８ａが左右内側板１２５に突出する切り目によって形成される。左右内側板１２５の後端縁には、折目線を介して、後袖フラップ１５１が連設される。後袖フラップ１５１・１５１の開放端部には、それぞれ後係止切込１５１ａ・１５１ｂが形成される。
【００６２】
左右内側板１２５・１２５の前端縁には、折目線１４１・１４１を介して、挿入縁板８３・８３が連設される。さらに挿入縁板８３・８３は、左右内側板１２５・１２５に対向する端縁に折目線１４２・１４２を介して第一保持片１５２・１５２が連設される。
【００６３】
左右外側板２４・２４の前端縁には、折目線１４３を介して第二保持片１５３・１５３が連設される。前外側板１２２の左右端縁には、折目線１４４・１４４を介して挿入片１５４・１５４が連設される。
【００６４】
後側板２３の左右端縁と左右外側板２４・２４の後端縁との間には、折目線を介して後折込板１５５・１５５が連設される。後折込板１５５には、後折込板１５５を略二等分する後折畳線１５５ａが底板２１の後側の角から後折込板１５５の開放端にかけて形成される。後側板２３は、底板２１と対向する端縁に折目線１４５を介して蓋部１３の一部である外天板３１が連設される。
【００６５】
蓋部１３は、主に外天板３１と内天板３７で構成される。
【００６６】
外天板３１には、後側板２３に対向する端縁に折目線６２を介して、内天板３７が連設される。係止片６２ａは、左右中央と折目線６２の左右中央から内天板３７の中央側へと突出する切り目によって形成される。
【００６７】
そして、内天板３７は、折目線６２を谷折りすることで外天板３１の内面に重なるように折畳まれる。さらに、外天板３１と内天板３７は、それらが重なる面に接着剤などの固定部材を付することよって固定される。このとき係止片６２ａは外天板３１の外側へと突出した状態とされる。
【００６８】
以下に、展開形成体の包装用箱１１を完成状態へと組み立てる工程を図９から図１５を用いて説明する。
【００６９】
身箱部１２は、図１０に示す展開形成体の状態から、図１１に示すように、左右外側板２４・２４から延設された第二保持片１５３・１５３が、折目線１４３・１４３を谷折りすることで、左右外側板２４・２４の内側に折畳まれる。さらに、左右内側板１２５・１２５から延設された挿入縁板８３・８３が、折目線１４２・１４２を谷折りすることで、左右内側板１２５・１２５に対して略直角に折り曲げられる。さらに、挿入縁板８３・８３から延設された第一保持片１５２が、折目線１４１・１４１を谷折りすることで、挿入縁板８３・８３に対して略直角に、かつ、左右内側板１２５・１２５に対して略平行に折り曲げられる。
【００７０】
そして、図１１に示す状態から図１２に示すように、左右外側板２４・２４と同一平面にある左右縁板８２・８２は、折目線を谷折りすることで、左右外側板２４・２４に対して略直角に折り曲げられる。さらに、左右縁板８２・８２と同一平面の左右内側板１２５・１２５は、折目線を谷折りすることで、左右外側板２４・２４の内側となる面に略平行となるように折畳まれる。
【００７１】
さらに、図１２に示す状態から図１３に示すように、底板２１の左右端縁から延設された左右外側板２４・２４は、折目線を谷折りすることで、底板２１に対して略直角に起立する。このとき、左右係止板１５６・１５６は、折目線１４８を谷折りすることで、左右内側板１２５・１２５に対して略直角となるように折り曲げられており、底板２１の内側の面に重なるように折曲げられている。
【００７２】
そして、左右内側板１２５・１２５から延設された後袖フラップ１５１・１５１が折目線を谷折りすることで、左右内側板１２５・１２５に対して略直角となるように包装用箱１１の内側へと折り曲げられる。さらに、左右の後袖フラップ１５１・１５１は、それぞれの自由端部に形成された後係止切込１５１ａ・１５１ｂを互いに差し込むことで連結される。このとき、左右内側板１２５と左右外側板２４とによって、挿入片１５４が挿入可能とされる空間が形成された筒状の挿入部１２０が形成される。
【００７３】
図１３に示す状態から図１４に示すように、前縁板８１は折目線１４６を谷折りすることで、前外側板１２２に対して略直角となるように折り曲げられる。前縁板８１から延設される前内側板２６は、折目線を谷折りすることで、前縁板８１に対して略直角となるように身箱部１２の内側へと折り曲げられる。すると、前内側板２６から延設された内底板２７は、底板２１の上面に位置する。この状態で、内底板２７から突出した係止片２７ｂ・２７ｂが、係止切込部１４８ａによる左右内側板１２５の開孔へと挿入され、底板２１の上面に内底板２７が配置された状態は保持される。前外側板１２２から延設された挿入片１５４・１５４は、折目線１４４・１４４を谷折りすることで、前外側板１２２に対して略直角となるように折り曲げられる。
【００７４】
図１４に示す状態から図１５に示すように、前外側板１２２は、折目線４０を谷折りすることで底板２１に対して起立される。同時に、前内側板２６は、折目線１４６を谷折りすることで、内底板２７に対して起立される。このとき、前外側板１２２から延設された挿入片１５４・１５４は、挿入部１２０の隙間（厳密には第一保持片１５２、第二保持片１５３との隙間）に挿入される。この操作は、指掛部１２２ｂに指を引っ掛け、折目線４０・１４６を回動軸として身箱部２の中央側へと可動側壁である前外側板１２２・前内側板２６を起こすことでおこなわれる。
【００７５】
前縁板８１の左右の端部は、左右縁板８２・８２の下方へと挿入され、左右縁板８２と前縁板８１が重なるように配置される。また、左右内側板１２５は、左右外側板２４よりも前後方向の長さが若干短いため、前内側板２６と前外側板１２２が前縁板８１の前後長さだけ長くなっている。そのため、挿入片１５４がまず、第二保持片１５３に接触し、第二保持片１５３にガイドされながら、第一保持片１５２の前端縁に誘導される。つまり、第一保持片１５２よりも第二保持片１５３の前端が前方に位置しているので、挿入部１２０の小さな開口に挿入しやすくなっている。
【００７６】
図１５に示す状態から図９に示すように、四つの側壁の一部を構成する後側板２３が折目線を谷折りすることで、底板２１に対して立設される（図１０参照）。このとき、後折込板１５５・１５５は、後折畳線１５５ａ・１５５ａで二つ折りにされながら、左右外側板２４と後側板２３との折目線を谷折りすることで、後袖フラップ１５１・１５１に接触するように折畳まれる。すると、上部が開放された身箱部１２が組み立てられる。
【００７７】
この身箱部１２に、蓋部１３を被せる、つまり、折目線１４５を谷折りすることで、外天板３１とその外天板３１に固着した内天板３７が後側板２３に対して略直角となるように折り曲げられる。さらに、外天板３１から延設された係止片６２ａが折目線６２を谷折りすることで、外天板３１に対して略直角になるように下方へと折り曲げられ、さらに係止切込部１２２ａへと挿入される。このとき、内天板３７は、前縁板８１と左右縁板８２・８２とに接触する。したがって、包装用箱１１は、身箱部１２の上部の開放を蓋部１３によって閉鎖される。
【００７８】
尚、第一実施形態及び第二実施形態の包装用箱１・１１は、蓋部３・１３が身箱部２・１２に連設されているが、蓋部３・１３を連設せずに身箱部２・１２のみとし別途に蓋部を設ける構成としてもよい。さらに、可動側壁（前側板２２、前外側板１２２と前内側板２６）が、前側のみに配置されているが、後側にも可動側壁を設けてもよい。つまり、後側板２３に代えて前側板２２のような挿入片を有する可動側壁を底板２１に連設し、支持側壁である左右内側板１２５、左右外側板２４の後側にも、前側と同様に端縁に保持片が連設された挿入部を形成し、挿入部を筒状に形成してもよい。
【００７９】
本考案の包装用箱１１において、前記内側板である左右内側板１２５と、前記外側板である左右外側板２４との間には、左右縁板８２が設けられるものである。
【００８０】
このように構成することで、外側板である左右外側板２４と内側板である左右内側板１２５の間に左右縁板８２を設けた分だけ、左右外側板２４と左右内側板１２５との隙間ができ、挿入部１２０に対する挿入片１５４の抜き差しが容易となる。また、左右内側板１２５と左右外側板２４との隙間を大きくしても、保持片１５２・１５３の弾性力により保持片１５２・１５３が挿入片１５４側へと移動して、挿入片１５４を保持するため、可動側壁（前外側板１２２と前内側板２６）の起立状態を確実に保持することができる。
【符号の説明】
【００８１】
１        包装用箱
２        身箱部
３        蓋部
１１      包装用箱
１２      身箱部
１３      蓋部
２０      挿入部
２１      底板
２２      前側板
２２ｂ    指掛部
２３      後側板
２４      左右外側板
２５      左右内側板
２５ａ    第一係合片
２６      前内側板
２７      内底板
２７ａ    係止片
２７ｂ    係止片
３１      外天板
３２      前側板
３３      左右外側板
３４      左右内側板
３５      前内側板
３６      内天板
３６ａ    第二係合片
３６ｂ    第三係合片
３７      内天板
４０      折目線
４１      折目線
４１ａ    係止切込部
４２      折目線
４３      折目線
４４      折目線
４５      折目線
５１      後袖フラップ
５１ａ    後係止切込
５１ｂ    後係止切込
５２      第一保持片
５３      第二保持片
５４      挿入片
５５      後折込板
５５ａ    後折畳線
６１      折目線
６１ａ    係止切込部
６１ｂ    係止切込部
６２      折目線
６２ａ    係止片
７１      左右係止板
７２      前フラップ
７３      前折込板
７３ａ    前折畳線
８１      前縁板
８２      左右縁板
８３      挿入縁板
９１      物品
１２０    挿入部
１２２    前外側板
１２２ａ  係止切込部
１２２ｂ  指掛部
１２５    左右内側板
１４１    折目線
１４２    折目線
１４３    折目線
１４４    折目線
１４５    折目線
１４６    折目線
１４７    折目線
１４８    折目線
１４８ａ  係止切込部
１５１    後袖フラップ
１５１ａ  後係止切込
１５１ｂ  後係止切込
１５２    第一保持片
１５３    第二保持片
１５４    挿入片
１５５    後折込板
１５５ａ  後折畳線
１５６    左右係止板
【図１】
0003175267.tif 000003
【図２】
0003175267.tif 000004
【図３】
0003175267.tif 000005
【図４】
0003175267.tif 000006
【図５】
0003175267.tif 000007
【図６】
0003175267.tif 000008
【図７】
0003175267.tif 000009
【図８】
0003175267.tif 000010
【図９】
0003175267.tif 000011
【図１０】
0003175267.tif 000012
【図１１】
0003175267.tif 000013
【図１２】
0003175267.tif 000014
【図１３】
0003175267.tif 000015
【図１４】
0003175267.tif 000016
【図１５】
0003175267.tif 000017